(57)【要約】【解決手段】上部フレーム１と、底部２と、上部フレームにその上端部が枢支されたはね上げ側壁３と、上部分割側壁４ａと下部分割側壁４ｂとを有する分割側壁４とからなる折り畳みコンテナーにおいて、上記上部分割側壁の内面及び下部分割側壁の内面に、略方形状の凹部６、８を形成したものである。【効果】上部分割側壁の内面及び下部分割側壁の内面に、略方形状の凹部を形成したので、折り畳みコンテナーの組み立て作業及び折り畳み作業の際に、はね上げ側壁が当接する上部分割側壁及び下部分割側壁の当接領域は少なく、従って、上部分割側壁及び下部分割側壁を透明な或いは半透明な合成樹脂で形成した際には、収容された物品の外側からの透視にとって重要な中央部の大部分の領域に擦り傷がつくようなことを防止することができる。【選択図】図４
2006188269.tif 000002
【特許請求の範囲】
【請求項１】
上部フレームと、底部と、上部フレームにその上端部が枢支されたはね上げ側壁と、上部分割側壁と下部分割側壁とを有する分割側壁とからなる折り畳みコンテナーにおいて、前記上部分割側壁の内面及び下部分割側壁の内面に、略方形状の凹部が形成されていることを特徴とする折り畳みコンテナー。
【請求項２】
上部分割側壁の内面及び下部分割側壁の内面に形成された略方形状の凹部の周辺縁部に、傾斜縁部が形成されていることを特徴とする請求項１に記載の折り畳みコンテナー。
【発明の詳細な説明】
【技術分野】
【０００１】
本発明は、種々の物品の保管、輸送或いは搬送等に使用される折り畳みコンテナーに関するものである。
【背景技術】
【０００２】
従来、上部フレームと、底部と、上部フレームにその上端部がヒンジ連結された、折り畳みコンテナーの内側方向に回動可能な側壁（以下、この側壁を、はね上げ側壁という。）と、上下に分割されているとともに、適当なヒンジ部を介して連結された側壁（以下、この側壁を、分割側壁という。）とを有しており、分割側壁は、ヒンジ部を挟んで上方に位置する上部分割側壁と、ヒンジ部を挟んで下方に位置する下部分割側壁とから構成されており、且つ、上部分割側壁の上端部が、上部フレームにヒンジ連結されており、また、下部分割側壁の下端部が、底部にヒンジ連結されている折り畳みコンテナーが知られている。
【０００３】
上述した折り畳みコンテナーは、箱型に組み立てられた状態から、先ず最初に、略垂直状態のはね上げ側壁を、折り畳みコンテナーの内側方向に回動させ、次いで、上部フレームを、底部に接近させるとともに、上部分割側壁と下部分割側壁とを重ねることにより、上部フレームが底部に重ねられた状態に折り畳むことができるように構成されている。また、折り畳まれた状態から、上部フレームを持ち上げて、上部分割側壁と下部分割側壁とを略面一で略垂直状態にするとともに、はね上げ側壁を略垂直状態にすることにより、箱型に組み立てることができるように構成されている。
【０００４】
上述した折り畳みコンテナーの組み立て作業及び折り畳み作業の際には、はね上げ側壁の側端部が、上部分割側壁及び下部分割側壁の内面（折り畳みコンテナーが箱型に組み立てられた際に、折り畳みコンテナーの内側に位置する面）に当接し、上部分割側壁や下部分割側壁に擦り傷がつくことになる。
【０００５】
このような課題を解決するために、上部分割側壁及び下部分割側壁の内面のうち、はね上げ側壁の側端部が当接する領域に、円弧状の線状凸部を形成した折り畳みコンテナーが、特許文献１に開示されている。
【０００６】
【特許文献１】実開平５−７５１２９号公報
【発明の開示】
【発明が解決しようとする課題】
【０００７】
上述した従来の折り畳みコンテナーにおいては、上部分割側壁及び下部分割側壁の内面に、線状凸部が突設されているために、折り畳みコンテナーに収容された物品に傷が付いたり、物品に、線状凸部の跡が残り、物品の商品価値が低下するという問題があった。
【０００８】
また、折り畳みコンテナーに収容された物品を、外から透視可能とするために、上部分割側壁及び下部分割側壁を透明な樹脂で成形することが行われているが、上述したように、上部分割側壁及び下部分割側壁に線状凸部を形成した場合には、収容された物品が見にくくなるという問題があった。
【０００９】
本発明の目的は、上述した従来の折り畳みコンテナーが有する課題を解決することにある。
【課題を解決するための手段】
【００１０】
本発明は、上述した目的を達成するために、上部フレームと、底部と、上部フレームにその上端部が枢支されたはね上げ側壁と、上部分割側壁と下部分割側壁とを有する分割側壁とからなる折り畳みコンテナーにおいて、第１には、上記上部分割側壁の内面及び下部分割側壁の内面に、略方形状の凹部を形成したものであり、第２には、上記凹部の周辺縁部に、傾斜縁部を形成したものである。
【発明の効果】
【００１１】
上部分割側壁の内面及び下部分割側壁の内面に、略方形状の凹部を形成したので、折り畳みコンテナーの組み立て作業及び折り畳み作業の際に、はね上げ側壁が当接する上部分割側壁及び下部分割側壁の当接領域は少なく、従って、上部分割側壁及び下部分割側壁を透明な或いは半透明な合成樹脂で形成した際には、収容された物品の外側からの透視にとって重要な中央部の大部分の領域に擦り傷がつくようなことを防止することができる。
【００１２】
また、上部分割側壁の内面及び下部分割側壁の内面に形成された凹部の周辺縁部に、傾斜縁部を形成したので、傾斜縁部に、折り畳みコンテナーに収容された物品が当接しても、物品が、商品価値が損なわれるほど損傷するようなことがない。
【実施例】
【００１３】
以下に、本発明の実施例について説明するが、本発明の趣旨を越えない限り何ら、本実施例に限定されるものではない。
【００１４】
折り畳みコンテナーは、上部フレーム１と、底部２と、上部フレーム１にその上端部がヒンジ連結されたはね上げ側壁３と、上下に分割されているとともに、適当なヒンジ部ｈ１を介して連結された分割側壁４とを有しており、分割側壁４は、ヒンジ部ｈ1 を挟んで上方に位置する上部分割側壁４ａと、ヒンジ部ｈ１を挟んで下方に位置する下部分割側壁４ｂとから構成されており、且つ、上部分割側壁４ａの上端部が、上部フレーム１にヒンジ連結されており、また、下部分割側壁４ｂの下端部が、底部２にヒンジ連結されている。
【００１５】
図１に示されている箱型状態の折り畳みコンテナーの略垂直状のはね上げ側壁３を、折り畳みコンテナーの内部方向に回動させて、図２に示されているように、略水平状態とし、次いで、分割側壁４を構成する上部分割側壁４ａと下部分割側壁４ｂを連結しているヒンジ部ｈ１を、折り畳みコンテナーの内部方向に移動させて、上部分割側壁４ａと下部分割側壁４ｂとを重ねることにより、箱型状態の折り畳みコンテナーを、図３に示されているように、上部フレーム１が底部２に重ねられた状態の高さの低いコンパクトな状態に折り畳むことができるように構成されている。また、底部２に対して上部フレーム１を持ち上げて、略水平状態に重ねられている上部分割側壁４ａと下部分割側壁４ｂを、互いに略面一になるように略垂直に立て、次いで、上部フレーム１に、その上端部がヒンジ連結されているはね上げ側壁３を、略水平状態から垂直方向に回動させることにより、折り畳まれた状態の折り畳みコンテナーを、箱型に組み立てるように構成されている。
【００１６】
上部分割側壁４ａには、上部分割側壁４ａの上下水平辺に略平行で、且つ、上下水平辺付近の相対する水平境界線５ａ及び上部分割側壁４ａの左右垂直辺に略平行で、且つ、左右垂直辺付近の相対する垂直境界線５ｂで囲まれた領域を、内面（折り畳みコンテナーが箱型に組み立てられた際に、折り畳みコンテナーの内側に位置する面）から外面（折り畳みコンテナーが箱型に組み立てられた際に、折り畳みコンテナーの外側に位置する面）に向かって膨出させることにより、相対する上下水平傾斜縁部６ａと、相対する左右垂直傾斜縁部６ｂと、これら上下水平傾斜縁部６ａと左右垂直傾斜縁部６ｂとで囲まれた平坦部６ｃとからなる略方形状の凹部６が形成されている。
【００１７】
上部分割側壁４ａの内面に形成された略方形状の凹部６は、折り畳みコンテナーが箱型に組み立てられた際には、上部分割側壁４ａの外面には、略方形状の凸部６’が形成されることになるが、凸部６’は、上部フレーム１及び底部２を越えて、外側に突出しないように構成されている。
【００１８】
同様に、下部分割側壁４ｂにも、下部分割側壁４ｂの上下水平辺に略平行で、且つ、上下水平辺付近の相対する水平境界線７ａ及び下部分割側壁４ｂの左右垂直辺に略平行で、且つ、左右垂直辺付近の相対する垂直境界線７ｂで囲まれた領域を、内面から外面に向かって膨出させることにより、相対する上下水平傾斜縁部８ａと、相対する左右垂直傾斜縁部８ｂと、これら上下水平傾斜縁部８ａと左右垂直傾斜縁部８ｂとで囲まれた平坦部８ｃとからなる略方形状の凹部８が形成されている。
【００１９】
同様に、下部分割側壁４ｂの内面に形成された略方形状の凹部８は、折り畳みコンテナーが箱型に組み立てられた際には、下部分割側壁４ｂの外面には、略方形状の凸部８’が形成されることになるが、凸部８’は、上部フレーム１及び底部２を越えて、外側に突出しないように構成されている。
【００２０】
上述したように、上部分割側壁４ａの内面には、上部分割側壁４ａの上下水平辺に略平行で、且つ、上下水平辺付近の相対する水平境界線５ａ及び上部分割側壁４ａの左右垂直辺に略平行で、且つ、左右垂直辺付近の相対する垂直境界線５ｂで囲まれた領域を、内面から外面に向かって膨出させることにより形成された略方形状の凹部６が形成されているとともに、下部分割側壁４ｂの内面にも、下部分割側壁４ｂの上下水平辺に略平行で、且つ、上下水平辺付近の相対する水平境界線７ａ及び下部分割側壁４ｂの左右垂直辺に略平行で、且つ、左右垂直辺付近の相対する垂直境界線７ｂで囲まれた領域を、内面から外面に向かって膨出させることにより形成された略方形状の凹部８が形成されているので、上述した折り畳みコンテナーの組み立て作業及び折り畳み作業の際に、はね上げ側壁３の側端部３ａが当接する上部分割側壁４ａ及び下部分割側壁４ｂの当接領域は少なく、しかも、上部分割側壁４ａ及び下部分割側壁４ｂの内面の中央部の大部分の領域は、はね上げ側壁３の側端部３ａが当接しないので、上部分割側壁４ａ及び下部分割側壁４ｂを透明な或いは半透明な合成樹脂で形成した際には、収容された物品の外側からの透視にとって重要な中央部の大部分の領域に擦り傷がつくようなことがなく、従って、折り畳みコンテナーに収容された物品の状況を、折り畳みコンテナーの外側から、長期間に亘たって、確実に把握することができる。
【００２１】
また、上部分割側壁４ａに形成された略方形状の凹部６の周辺縁部には、相対する上下水平傾斜縁部６ａ及び相対する左右垂直傾斜縁部６ｂが形成されているので、これら傾斜縁部６ａ、６ｂに、折り畳みコンテナーに収容された物品が当接しても、物品が、商品価値が損なわれるほど損傷するようなことがない。
【００２２】
同様に、下部分割側壁４ｂに形成された略方形状の凹部８の周辺縁部には、相対する上下水平傾斜縁部８ａ及び相対する左右垂直傾斜縁部８ｂが形成されているので、これら傾斜縁部８ａ、８ｂに、折り畳みコンテナーに収容された物品が当接しても、物品が、商品価値が損なわれるほど損傷するようなことがない。
【図面の簡単な説明】
【００２３】
【図１】図１は、本発明の折り畳みコンテナーが箱型に組み立てられた状態の斜視図である。
【図２】図２は、本発明の折り畳みコンテナーの組み立て途中或いは折り畳み途中の斜視図である。
【図３】図３は、本発明の折り畳みコンテナーが折り畳まれた状態の斜視図である。
【図４】図４は、本発明の折り畳みコンテナーを構成する上部分割側壁と下部分割側壁とが略面一状態の部分垂直断面図である。
【符号の説明】
【００２４】
１・・・・・・・・上部フレーム
２・・・・・・・・底部
３・・・・・・・・はね上げ側壁
４・・・・・・・・分割側壁
４ａ・・・・・・・上部分割側壁
４ｂ・・・・・・・下部分割側壁
６、８・・・・・・凹部軸受け部材
【図１】
2006188269.tif 000003
【図２】
2006188269.tif 000004
【図３】
2006188269.tif 000005
【図４】
2006188269.tif 000006